(57)【要約】【課題】電源となる１次側回路と負荷となる２次側回路とをトランスを用いることなく絶縁する。【解決手段】交流電源３８よりの交流電圧を整流して得られた１次側直流電圧を同期して切換えられる第１の切換スイッチ３３および第２の切換スイッチ３４が１次側回路３０に切換えられたとき蓄電器３６に充電し、蓄電器３６に充電された蓄電電圧を第１切換スイッチ３３および第２の切換スイッチ３４が２次側回路３１に切換えられたときに取出し、負荷３２に交流電源３８から絶縁された２次側直流電圧を供給する。【選択図】図１
2005204357.tif 000002
【特許請求の範囲】
【請求項１】
交流電源よりの交流電圧を整流して１次側直流電圧を得える１次側回路と、
負荷に２次側直流電圧を供給する２次側回路と、
前記１次側回路と２次側回路との正側端子を切換える第１の切換スイッチと、
前記１の切換スイッチに同期して前記１次側回路と２次側回路との負側端子を切換える第２の切換スイッチと、
前記第１の切換スイッチと第２の切換スイッチとの間に接続された蓄電器とよりなり、
第１および第２の切換スイッチが１次側回路に切換えられたとき前記１次側直流電圧を蓄電器に蓄電し、前記第１および第２の切換スイッチが２次側回路に切換えられたとき、前記蓄電器に蓄電された蓄電電圧を２次側直流電圧として取出すことを特徴とする電源回路。
【請求項２】
前記１次側回路は交流電源と、該交流電源よりの交流電圧を整流する整流回路と該整流回路で整流された直流電圧を平滑して１次側直流電圧を得る平滑回路とよりなることを特徴とする請求項１記載の電源回路。
【請求項３】
前記１次側回路の整流回路と第１の切換スイッチと第２の切換スイッチとを兼用したことを特徴とする請求項１記載の電源回路。
【請求項４】
前記２次側回路に蓄電器より得られた蓄電電圧を降圧または昇圧する制御回路を含むことを特徴とした請求項１に記載の電源回路。
【請求項５】
前記交流電源は商用電源であることを特徴とする請求項１記載の電源回路。
【請求項６】
前記負荷は充放電が可能な２次電池であることを特徴とする請求項１記載の電源回路。
【請求項７】
前記２次側回路には第２の蓄電器を接続し、前記第２の蓄電器は前記第１の切換スイッチおよび第２の切換スイッチ間に接続された第１の蓄電器に蓄電された蓄電電圧を移送し蓄電することを特徴とする請求項１記載の電源回路。
【請求項８】
前記商用電源の極性が規定されており、一方の極性が接地される場合には、前記第１または第２の切換スイッチを省略したことを特徴とする請求項１記載の電源回路。
【請求項９】
前記１次側回路に接続された第１の蓄電器の容量を前記２次側回路に接続された第２の蓄電器の容量に比べて小さくすることを特徴とした請求項８記載の電源回路。
【請求項１０】
交流電源の両端に逆向きに接続された第１および第２のダイオードと、
前記第１および第２のダイオード間に接続されたコンデンサと、
エミッタが前記第１のダイオードと前記コンデンサの一端との接続点に接続され、ベースが第１の抵抗を介して交流電源の一端に接続された第１のトランジスタと、
エミッタが前記第２のダイオードと前記コンデンサの他端との接続点に接続され、ベースが第２の抵抗を介して交流電源の他端に接続された第２のトランジスタと、
前記第１および第２のトランジスタのコレクタに接続された２次側回路とよりなることを特徴とする電源回路。
【請求項１１】
前記第１のトランジスタと第２のトランジスタのコレクタには第２のコンデンサを接続し、
前記第１および第２のダイオードがＯＮし第１および第２のトランジスタがＯＦＦしているときに、第１のコンデンサに充電し、第１および第２のダイオードがＯＦＦし第１および第２のトランジスタがＯＮしているときに、第１のコンデンサに充電された電荷を第２のコンデンサに移送することを特徴とする請求項１０記載の電源回路。
【請求項１２】
前記第１のトランジスタはＰチャネル型のＭＯＳトランジスタでゲートを交流電源の一端に接続し、前記第２のトランジスタはＮチャネル型のＭＯＳトランジスタでゲートを交流電源の他端に接続したことを特徴とする請求項１０記載の電源回路。
【発明の詳細な説明】
【技術分野】
【０００１】
本発明は、トランスを不要にした携帯電話機等の携帯機器のチャージャーおよび民生機器の電源として使用できる電源回路に関する。
【背景技術】
【０００２】
携帯電話機等の携帯機器には充放電可能な２次電池が用いられている。２次電池は使用にあたってチャージャーを用いて充電する必要がある。
【０００３】
図１１は従来のチャージャーに用いられる電源回路の回路図である。
【０００４】
１次側回路１は交流電源２および交流電源２よりの交流電圧を整流する整流回路３および自励発振回路４よりなる。自励発振回路４はバイポーラトランジスタ５、トランス７、起動抵抗８等から構成される。バイポーラトランジスタ５のベースとエミッタ間には、コンデンサ１２、抵抗１３、トランス７のベース巻線Ｍ３が接続されている。
【０００５】
バイポーラトランジスタ５はベースが起動抵抗８を介して整流回路３に接続され、コレクタがトランス７の入力巻線Ｍ１を介して１次側電源１に接続されている。制御トランジスタ６はコレクタがバイポーラトランジスタ５のベースに接続されている。また制御トランジスタ６のベースは抵抗１０を介してバイポーラトランジスタ５のエミッタに接続されるとともに、抵抗１１を介してトランス７のベース巻線Ｍ３に接続されている。
【０００６】
トランス７の出力巻線Ｍ２には２次側回路１４が接続されている。２次側回路１４はダイオード１５とコンデンサ１６とインダクタンス１７よりなる。２次側回路１４はさらに分割用の抵抗１９、２０および抵抗２１およびコントロール回路１８が接続されている。
コントロール回路１８は分割用の抵抗１９、２０および抵抗２１に生じる過電圧電流を検出する。
【０００７】
従来の電源回路は上述した構成をなしており、交流電源２より交流電圧が加えられると整流回路３で整流され、直流電圧を得る。整流回路３より直流電圧が得られると、起動抵抗８を介してバイポーラトランジスタ５のベースに起動電圧が加わり、バイポーラトランジスタ５をＯＮする。
【０００８】
バイポーラトランジスタ５がＯＮすることにより、トランス７の一次巻線Ｍ１に整流回路３で整流された直流電圧が流れる。一次巻線Ｍ１に電流が流れると抵抗１０、１１に電圧を生じ、制御トランジスタ６を次第にＯＮする。制御トランジスタ６がＯＮするとバイポーラトランジスタ５のベース電位が低下されＯＦＦされる。
【０００９】
一方バイポーラトランジスタ５がＯＦＦすると、それまでトランス７の１次巻線Ｍ１に蓄積されたエネルギーが放出され二次巻線Ｍ２に二次電流が生じる。二次巻線Ｍ２に生じた電流はダイオード１５で整流され、コンデンサ１６とインダクタンス１７で平滑されて、出力端子Ｖｏｕｔ１およびＶｏｕｔ２に正負の直流出力電圧を生じる。
【００１０】
制御トランジスタ６がＯＮすることにより、制御トランジスタ６がＯＦＦ期間にコンデンサ１２に充電されていた電荷が放電されるので、制御トランジスタ６のコレクタ電位が低下し、制御トランジスタ６がＯＦＦされる。制御トランジスタ６がＯＦＦされると、起動抵抗８を介してバイポーラトランジスタ５のベースに電圧が加わり、バイポーラトランジスタ５を再びＯＮさせる。
【００１１】
ところで二次巻線Ｍ２に生じ、ダイオード１５で整流され、コンデンサ１６とインダクタンス１７で平滑された直流電圧の一部は分割抵抗１９、２０、２１で検出され、コントロール回路１８に加えられる。もし分割抵抗１９、２０、２１で過電流または過電圧が検出されたコントロール回路１８から出力信号を発生する。
【００１２】
コントロール回路１８で発生された出力信号はホトカプラ２２の発光ダイオード２３に加わり発光させる。それによりホトカプラ２２のホトトランジスタ２４の抵抗値が低下させる。ホトトランジスタ２４の抵抗値が低下すると制御トランジスタ６のエミッタ電位が低下するので、制御トランジスタ６のＯＮ期間が長くなり、バイポーラトランジスタ５のＯＮ期間が短くなるので、トランス７に流れる一次電流が低下し、二次巻線Ｍ２に生じる二次電圧も減少させる。このようにして出力端子Ｖｏｕｔ１およびＶｏｕｔ２に一定の正負の直流出力電圧を得るようにしている。
【特許文献１】特開昭５７−１３９６８号公報
【発明の開示】
【発明が解決しようとする課題】
【００１３】
前述したように、従来の携帯電話機等のチャージャーあるいは民生用の電源に用いられる電源回路は通常１次側回路の１次電圧は商用電源からの交流電圧を整流し、２次側回路に１次側に得られた整流電圧を降圧して携帯電話機等のバッテリーに充電する充電電圧を得ている。そのため感電防止のために１次側回路と２次側回路とを絶縁する必要がある。１次側回路と２次側回路を絶縁するのにトランスを用いており、さらにホトカプラを必要とするので、回路構成が大きくなり、且つトランスを使用しているので、量産するに手間が掛かった。
【課題を解決するための手段】
【００１４】
本発明は電源となる１次側回路と負荷となる２次側回路とをトランスを用いることなく絶縁できるようにしたもので、
交流電源よりの交流電圧を整流して１次側直流電圧を得える１次側回路と、負荷に２次側直流電圧を供給する２次側回路と、前記１次側回路と２次側回路との正側端子を切換える第１の切換スイッチと、前記１の切換スイッチに同期して前記１次側回路と２次側回路との負側端子を切換える第２の切換スイッチと、前記第１の切換スイッチと第２の切換スイッチとの間に接続された蓄電器とよりなり、第１および第２の切換スイッチが１次側回路に切換えられたとき前記１次側直流電圧を前記蓄電器に蓄電し、前記第１および第２の切換スイッチが２次側回路に切換えられたとき、前記蓄電器に蓄電された蓄電電圧を２次側直流電圧として取出す電源回路を提供する。
【００１５】
本発明は前記１次側回路が交流電源と、該交流電源よりの交流電圧を整流する整流回路と該整流回路で整流された直流電圧を平滑して１次側直流電圧を得る平滑回路とよりなる電源回路を提供する。
【００１６】
本発明は前記１次側回路の整流回路と第１の切換スイッチと第２の切換スイッチとを兼用したことを特徴とする電源回路を提供する。
【００１７】
本発明は前記２次側回路に蓄電器より得られた蓄電電圧を降圧または昇圧する制御回路を含む電源回路を提供する。
【００１８】
本発明は前記交流電源が商用電源であることを特徴とする請求項１記載の電源回路。
【００１９】
本発明は前記負荷が充放電が可能な２次電池である電源回路を提供する。
【００２０】
本発明は前記２次側回路には第２の蓄電器を接続し、前記第２の蓄電器は前記第１の切換スイッチおよび第２の切換スイッチ間に接続された第１の蓄電器に蓄電された蓄電電圧を移送し蓄電する電源回路を提供する。
【００２１】
本発明は交流電源の両端に逆向きに接続された第１および第２のダイオードと、前記第１および第２のダイオード間に接続されたコンデンサと、エミッタが前記第１のダイオードとコンデンサとの接続点に接続され、ベースが第１の抵抗を介して交流電源の一端に接続された第１のトランジスタと、エミッタが前記第２のダイオードとコンデンサとの接続点に接続され、ベースが第２の抵抗を介して交流電源の他端に接続された第２のトランジスタと、前記第１および第２のトランジスタのコレクタに接続された２次側回路とよりなる電源回路を提供する。
【００２２】
本発明は前記第１のトランジスタと第２のトランジスタのコレクタには第２のコンデンサを接続し、前記第１および第２のダイオードがＯＮし第１および第２のトランジスタがＯＦＦしているときに、第１のコンデンサに充電し、第１および第２のダイオードがＯＦＦし第１および第２のトランジスタがＯＮしているときに、第１のコンデンサに充電された電荷を第２のコンデンサに移送する電源回路を提供する。
【発明の効果】
【００２３】
本発明は交流電源よりの交流電圧を整流して得られた１次側直流電圧を第１および第２の切換スイッチが１次側回路に切換えられたとき蓄電器に充電し、蓄電器に充電された蓄電電圧を第１および第２の切換スイッチが２次側回路に切換えられたときに取出し、負荷に供給する２次側直流電圧として取出すので、１次側回路と２次側回路とをトランスを用いることなく絶縁できる。
【００２４】
また２次側回路に第２の蓄電器を接続し、第１および第２の切換スイッチが１次側回路に切換えられたとき第１の蓄電器に充電された蓄電電圧を、第１および第２の切換スイッチが２次側回路に切換えられたときに第２の蓄電器に蓄電するようにすれば、２次側回路には交流電圧から絶縁された２次側直流電圧を常時得ることが出来る。
【００２５】
さらにダイオードとトランジスタを用いることにより、整流回路と切換スイッチとの役目を兼ねさせることができる。
【発明を実施するための最良の形態】
【００２６】
本発明の電源回路を図１から図１０に従って説明する。
【００２７】
図１は本発明の電源回路のブロック図である。
【００２８】
１次側回路３０は交流電源よりの交流電圧を整流して１次側直流電圧を得えるものである。交流電源は通常商用電源が用いられる。２次側回路３１は１次側回路３０で得られた１次側直流電圧より負荷３２に２次側直流電圧を供給するものである。第１の切換スイッチ３３は１次側回路３０と２次側回路３１との正側端子３３ａと３３ｂを切換える。第２の切換スイッチ３４は第１に切換スイッチ３３に同期して切換えられ１次側回路３０と２次側回路３１との負側端子３４ａと３４ｂを切換える。
【００２９】
蓄電器３６は第１の切換スイッチ３３と第２の切換スイッチ３４との間に接続されている。
【００３０】
図２は第１の切換スイッチ３３および第２の切換スイッチ３４が切換えられるタイミングチャートの例を示すタイミングチャート図である。
【００３１】
今第１切換スイッチ３３および第２の切換スイッチ３４が１次側回路３０の正側端子３３ａ、負側端子３３ａに切換えられたとき、１次側回路３０からの１次側直流電圧を蓄電する。蓄電器３６は通常コンデンサが用いられる。
【００３２】
第１の切換スイッチ３３および第２の切換スイッチ３４が２次側回路３１の負側端子３３ｂ、負側端子３３ｂに切換えられたとき、蓄電器３６に蓄電された蓄電電圧を２次側直流電圧として取出し、負荷３２に負荷電圧を供給する。
【００３３】
図３に示すように、また、米国などでは商用電源の極性が規定されており、機器のマイナス側が必ず接地されるようになっているので、この場合は、第２の切換スイッチ３４は不要であることは容易に推測できる。
【００３４】
逆に機器のプラス側が必ず接地されるようになっている場合は、第１の切換スイッチ３３は不要であることも容易に推測できる。
【００３５】
図４は本発明の電源回路の他の実施例を示すブロック図である。
【００３６】
図１と異なる点は２次側回路３１に第１の切換スイッチ３３および第２の切換スイッチ３４との間に接続された第１の蓄電器３６に蓄電された蓄電電荷を移送し蓄電する第２の蓄電器４２を接続したことである。
【００３７】
第１の切換スイッチ３３および第２の切換スイッチ３４が正側端子３３ａと負側端子３４ａに切換えられているとき、１次側回路３０で得られた１次側直流電圧が第１の蓄電器３６に充電される。次に第１の切換スイッチ３３および第２の切換スイッチ３４が正側端子３３ｂと負側端子３４ｂに切換えられると、第１の蓄電器３６に蓄電された１次側電荷は直ちに２次側回路３１に接続された第２の蓄電器４２に移送される。従って負荷３２には常時第２の蓄電器４２からの電荷が供給されることになる。
【００３８】
ここで、負荷電流が大きく変化しない場合、第１の蓄電器３６の容量を第２の蓄電器４２の容量に対して小さく設定することにより２次側の電圧を降下させることが出来、２次側に接続される電圧制御回路の耐圧を下げることが出来る。
【００３９】
図５は図４の電源回路のブロック図を実際の回路で表した回路図である。
【００４０】
前述した１次側回路３０と第１および第２のスイッチ３３、３４は交流電源４５、第１および第２のダイオード４６、４７、第１および第２のトタンジスタ４８、４９等よりなる。
【００４１】
交流電源４５の両端に逆方向に第１ダイオード４６および第２のダイオード４７が接続されている。第１ダイオード４６のカソードおよび第２のダイオード４７のアノード間に第１のコンデンサＣ１が接続されている。
【００４２】
第１のトランジスタ４８はエミッタが前記第１のダイオード４６と第１のコンデンサＣ１との接続点に接続され、ベースが第１の抵抗５０を介して交流電源４５の一端に接続されている。同様に第２のトランジスタ４９はエミッタが第２のダイオード４７と第１のコンデンサＣ１との接続点に接続され、ベースが第２の抵抗５１を介して交流電源４５の他端に接続されている。
【００４３】
第１のトランジスタ４８のコレクタにはダイオードD1のアノードが接続されそのカソードは第２のコンデンサC2の正極性側に接続されている。そして第２のトランジスタ４９のコレクタにはダイオードD2のカソードが接続され、そのアノードは第２のコンデンサC2の負極性側に接続されている。コンデンサC2には負荷３２が接続され、２次側回路３１を構成している。
【００４４】
図６を参照しつつ、図５の電源回路の動作を説明する。
【００４５】
交流電源４５は中心電圧を０Ｖとしたとき、交流電圧Ｖ１、Ｖ２を発生する。例えば交流電源４５が１０Ｖｐｐ（上限と下限の振幅差）とすると交流電源４５の中心電圧を０Ｖとしたとき、交流電源４５の一方の電圧Ｖ１はプラス５Ｖからマイナス５Ｖまで変化する。また交流電源４５の他方の電圧Ｖ２は電圧Ｖ１と逆相でマイナス５Ｖからプラス５Ｖまで変化する。
【００４６】
ここで、交流電源４５の一方の電圧Ｖ１がプラスになり、交流電源４５の他方の電圧Ｖ２がマイナスになると交流電源４５からの電流は第１のダイオード４６を通って第１のコンデンサＣ１に流れ、さらに第２のダイオード４７を通って交流電源４５に流れる。
【００４７】
この状態では第１および第２のトランジスタ４８、４９は第１および第２の抵抗５０、５１を介して逆バイアスが加わるため、ＯＦＦされているので第１のコンデンサＣ１に充電される。このように第１および第２のダイオード４６、４７は整流回路の役目をなしている。またコンデンサＣ１には理想的には交流電源４５の電圧Ｖ１、Ｖ２の振幅マイナス第１および第２のダイオード４６、４７の立上がり電圧約１．４Ｖを引いた直流電圧が発生する。
【００４８】
交流電源４５の一方の電圧Ｖ１がプラスのピークから下がり始め、また同時に他方の電圧Ｖ２がマイナスのピークから上がり始めると、第１および第２のダイオード４６、４７共に電流が流れなくなる。そしてさらに交流電源４５の一方の電圧Ｖ１が下がり、他方の電圧Ｖ２が上がると、第１および第２のトランジスタ４８、４９のベースに第１および第２の抵抗５０、５１を介してベース電流が流れ始め、第１および第２のトランジスタ４８、４９をＯＮする。
【００４９】
第１および第２のトランジスタ４８、４９をＯＮすると、第１および第２のトランジスタ４８、４９のエミッタ・コレクタおよびダイオードD1、D2を介して、第１のコンデンサＣ１に充電されていた電荷が第２のコンデンサ５２に移送される。従って図７に示すよう、出力端子Ｖｏｕｔ１には出力電圧ＶＯ１が取出され、出力端子Ｖｏｕｔ２には出力電圧ＶＯ２が取出されて負荷３２に供給される。
【００５０】
第１および第２のトランジスタ４８、４９をＯＮするときは、第１および第２のダイオード４６、４７はＯＦＦしているので、出力端子Ｖｏｕｔ１および、出力端子Ｖｏｕｔ２に取出される出力電圧ＶＯ１、ＶＯ２は交流信号Ｖ１、Ｖ２から絶縁される。
【００５１】
なお、D1およびD2はトランジスタ４８および４９が飽和した時に負荷に交流電源４５の電流が流れることを阻止している。D1およびD2は抵抗５０および５１の抵抗値を大きくすることで削除することも出来る。このように第１および第２のトランジスタ４８、４９と第１および第２のダイオード４６、４７はスイッチングの役目もなしている。
【００５２】
図７は本発明の電源回路の回路図で、図５と異なる点はＰ型のトランジスタ４８の代わりにＰチャネル型のＭＯＳトランジスタ５４を用い、ＭＯＳトランジスタ５４のゲートを駆動回路Ｋ１を介して交流電源４５に接続し、Ｎ型のトランジスタ４９の代わりにＮチャネル型のＭＯＳトランジスタ５５を用い、ＭＯＳトランジスタ５５のゲートを駆動回路Ｋ２を介して交流電源４５に接続している。その他は図５の電源回路の回路図と同様である。
【００５３】
図８は図５の半波整流の電源回路を全波整流とした電源回路の回路図である。
【００５４】
１次側回路３１ａを構成する第１および第２のダイオード４６ａ、４７ａ、第１および第２のトタンジスタ４８ａ、４９ａ等と１次側回路３１ａと同じ構成をなす第１および第２のダイオード４６ｂ、４７ｂ、第１および第２のトタンジスタ４８ｂ、４９ｂ等
よりなる１次側回路３１ｂを交流電源４５に逆極性になるように接続したものである。
【００５５】
交流電源４５の上方の電圧Ｖ１がプラスになり、交流電源４５の下方の電圧Ｖ２がマイナスになると交流電源４５からの電流は第１のダイオード４６ａを通って第１のコンデンサＣ１aに流れ、さらに第２のダイオード４７ａを通って交流電源４５に流れる。
【００５６】
この状態では第１および第２のトランジスタ４８ａ、４９ａは第１および第２の抵抗５０ａ、５１ａを介して逆バイアスが加わるため、ＯＦＦされているので第１のコンデンサＣ１aに充電される。
【００５７】
一方このとき、１次側回路３１ｂの第１および第２のトランジスタ４８、４９はＯＮしているので、第１および第２のトランジスタ４８ｂ、４９ｂのエミッタ・コレクタを介して、第１のコンデンサＣ１ｂに充電されていた電荷が第２のコンデンサC2に移送される。
【００５８】
電源４５の一方の電圧Ｖ１がプラスのピークから下がり始め、また同時に他方の電圧Ｖ２がマイナスのピークから上がり始めると、第１および第２のダイオード４６ａ、４７ａ共に電流が流れなくなる。そしてさらに交流電源４５の一方の電圧Ｖ１が下がり、他方の電圧Ｖ２が上がると、第１および第２のトランジスタ４８ａ、４９ａのベースに第１および第２の抵抗５０、５１を介してベース電流が流れ始め、第１および第２のトランジスタ４８ａ、４９ａをＯＮし、今度は第１および第２のトランジスタ４８ａ、４９ａのエミッタ・コレクタを介して、第１のコンデンサＣ１aに充電されていた電荷が第２のコンデンサC2に移送される。
【００５９】
そしてさらに交流電源４５の一方の電圧Ｖ１が下がり、他方の電圧Ｖ２が上がると、第１のダイオード４６ｂを通って第１のコンデンサＣ１ｂに流れ、さらに第２のダイオード４７ｂを通って交流電源４５に流れ、C1ｂに充電が行われる。従って、C2には全波整流された電荷が移送されることになる。
【００６０】
図９は図１をより具体化したブロック図である。
【００６１】
図１と異なることは、２次側回路３１には第１の切換スイッチ３３および第２の切換スイッチ３４が１次側回路３１の正側端子３３ａと負側端子３４ａと２次側回路３１の正側端子３３ｂ、負側端子３４ｂに切換えられる時間を制御する制御回路３１が接続されていることである。
【００６２】
図１０のタイミングチャート図に示すように、スイッチなど蓄電器の充電経路に抵抗成分があるものとすると、第１の切換スイッチ３３および第２の切換スイッチ３４が１次側回路３１の正側端子３３ａと負側端子３３ｂに切換えられている時間が長くなるほど、蓄電器３６に蓄電される蓄電電圧は多くなり、２次側回路３１の正側端子３３ｂ、負側端子３４ｂに切換えられたときの２次側回路３１に得られる２次側直流電圧は高くなり、負荷３２に供給される出力電力Ｐは大きくなる。
【００６３】
逆に第１の切換スイッチ３３および第２の切換スイッチ３４が１次側回路３１の正側端子３３ａと負側端子３３ｂに切換えられている時間が短くなるほど、蓄電器３６に蓄電される蓄電電圧は多くなり、２次側回路３１の正側端子３３ｂ、負側端子３４ｂに切換えられたときの２次側回路３１に得られる２次側直流電圧は低くなり、負荷３２に供給される出力電力Ｐは小さくなる。
【図面の簡単な説明】
【００６４】
【図１】本発明の電源回路のブロック図である。
【図２】図１の電源回路の切換スイッチの切換のタイミイグチャートを示すタイミングチャート図である。
【図３】本発明の電源回路の他の実施例を示すブロック図である。
【図４】本発明の電源回路の他の実施例を示すブロック図である。
【図５】本発明の電源回路の回路図である。
【図６】図５の本発明の電源回路で得られた２次側直流電圧の電圧波形図である。
【図７】本発明の電源回路の他の実施例を示す回路図である。
【図８】本発明の電源回路の他の実施例を示す回路図である。
【図９】本発明の電源回路の他の実施例を示すブロック図である。
【図１０】図９の電源回路の切換スイッチの切換のタイミイグチャートを示すタイミングチャート図である。
【図１１】従来の電源回路のブロック図である。
【符号の説明】
【００６５】
３０      １次側回路
３１      ２次側回路
３２      負荷
３３      第１の切換スイッチ
３４      第２の切換スイッチ
３６      第１の蓄電器
３８      商用電源
４２      第２の蓄電器
４５      交流電源
４６      第１のダイオード
４７      第２のダイオード
４８      第１のトランジスタ
４９      第２のトランジスタ
【図１】
2005204357.tif 000003
【図２】
2005204357.tif 000004
【図３】
2005204357.tif 000005
【図４】
2005204357.tif 000006
【図５】
2005204357.tif 000007
【図６】
2005204357.tif 000008
【図７】
2005204357.tif 000009
【図８】
2005204357.tif 000010
【図９】
2005204357.tif 000011
【図１０】
2005204357.tif 000012
【図１１】
2005204357.tif 000013